(57)【要約】【課題】首の温度調節が容易に行える釣り用上着を提供することを課題とする。【解決手段】  着用者の首の周りに立つように構成された襟部１を備えた釣り用上着において、前記襟部１の上下方向中間部に、該襟部１の周方向に沿う折り目２を備え、前記折り目２が、前記襟部１の下端から該襟部１の周方向ほぼ全域に渡ってほぼ同一高さ位置に位置し、該折り目２から該襟部１の上端までの長さを、該襟部１の前側よりも後側を長くした。【選択図】図５
2009024306.tif 000002
【特許請求の範囲】
【請求項１】
着用者の首の周りに立つように構成された襟部を備えた釣り用上着において、
前記襟部の上下方向中間部に、該襟部の周方向に沿う折り目を備えたことを特徴とする釣り用上着。
【請求項２】
前記折り目が、前記襟部の下端から該襟部の周方向ほぼ全域に渡ってほぼ同一高さ位置に位置し、該折り目から該襟部の上端までの長さを、該襟部の前側よりも後側を長くしたことを特徴とする請求項１に記載の釣り用上着。
【請求項３】
前記襟部が、左右の前側のそれぞれから後側に連なる帯状体でなり、前記襟部の前側に、該前側から後側に向かって上昇する凹状の第１湾曲部を備え、前記左右の第１湾曲部から後側に向かって連なるとともに前記上昇が緩やかになる上昇に切り替わる凸状の第２湾曲部を前記襟部の後側に備えることにより、該襟部の上端をほぼＳ字カーブに構成したことを特徴とする請求項２に記載の釣り用上着。
【請求項４】
前記襟部が２枚の生地からなり、該２枚の生地の上端縁を互いに内側に折り込んで重なった部分を縫着し、前記２枚の生地の上下方向中間部に周方向ほぼ全域に渡って該２枚の生地を貫通して該両生地を一体化するためのステッチを入れることにより、前記折り目を構成したことを特徴とする請求項１〜３のいずれかに記載の釣り用上着。
【発明の詳細な説明】
【技術分野】
【０００１】
本発明は、着用者の首の周りに立つように構成された襟部を備えた釣り用上着に関する。
【背景技術】
【０００２】
上記襟部を着用者の首の周りに立てることにより、保温効果を十分に発揮させることができるだけでなく、首の日焼けをも防止することができるようにしている。そして、前記襟部を立てた状態で維持することができるように保形用線状体を設けたものが提案されている（例えば、特許文献１参照）。
【特許文献１】特開２００１−２０７３１５号公報（図１、図２参照）
【発明の開示】
【発明が解決しようとする課題】
【０００３】
この種の襟部は、保温効果を高めるために首のほとんどを覆う高さ付近まで襟部の上端が位置しているものが多く、そのように構成された前記特許文献１の襟部では、気温が上がってきて首の周りが暑くなってきたときでも、襟部にて首を常に保温している状態であるため、首の周りの温度を下げることができない不便なものであった。因みに、上着を構成する左右の前身頃の合わせ部を開いて前方から冷たい風を取り入れて、首の周りでなくて身体全体の温度調節を行うことが考えられるが、合わせ部の開け閉めを頻繁に行わなければ、体温が急激に低下することになる不都合があり、実際には合わせ部の開け閉めにより温度調節をすることが難しいものであった。
【０００４】
本発明が前述の状況に鑑み、解決しようとするところは、首の温度調節が容易に行える釣り用上着を提供することを課題とする。
【課題を解決するための手段】
【０００５】
本発明の釣り用上着は、着用者の首の周りに立つように構成された襟部を備えた釣り用上着において、前記襟部の上下方向中間部に、該襟部の周方向に沿う折り目を備えたことを特徴としている。
釣りを行っている際に、首の周りが寒い場合には、着用者の首の周りに立つように襟部を立てることになる。そして、気温が上がり首の周りが暑くなってくると、襟部の上下方向中間部に備えた折り目で襟部の上側を下側に対して折り込むことにより、首の一部を外気に晒すことで首の周りに風を当てることができ、温度調節を行うことができるのである。
【０００６】
前記折り目が、前記襟部の下端から該襟部の周方向ほぼ全域に渡ってほぼ同一高さ位置に位置し、該折り目から該襟部の上端までの長さを、該襟部の前側よりも後側を長くしてもよい。
【０００７】
前記襟部が、左右の前側のそれぞれから後側に連なる帯状体でなり、前記襟部の前側に、該前側から後側に向かって上昇する凹状の第１湾曲部を備え、前記左右の第１湾曲部から後側に向かって連なるとともに前記上昇が緩やかになる上昇に切り替わる凸状の第２湾曲部を前記襟部の後側に備えることにより、該襟部の上端をほぼＳ字カーブに構成してもよい。
【０００８】
前記襟部が２枚の生地からなり、該２枚の生地の上端縁を互いに内側に折り込んで重なった部分を縫着し、前記２枚の生地の上下方向中間部に周方向ほぼ全域に渡って該２枚の生地を貫通して該両生地を一体化するためのステッチを入れることにより、前記折り目を構成してもよい。
【発明の効果】
【０００９】
襟部の上下方向中間部に備えた折り目を備えさせることによって、折り目にて折り込んで首の一部を外気に晒して温度調節を行うことができるから、前見頃の合わせ部を開いたり閉じたりして頻繁に温度調節を行うことなく、首の温度調節を容易かつ的確に行うことができる釣り用上着を提供することができる。
【００１０】
前記折り目が、前記襟部の下端から該襟部の周方向ほぼ全域に渡ってほぼ同一高さ位置に位置し、該折り目から該襟部の上端までの長さを、該襟部の前側よりも後側を長くすることによって、襟部の前側では襟部が邪魔になることを回避することができるものでありながら、後側では確実に日焼けを防止したり、保温を行うことができ、機能面と実用面のいずれの面においても優れた商品価値の高い襟部にすることができる。
【００１１】
襟部の上端をほぼＳ字カーブに構成することによって、ごく自然な湾曲部を有する襟部にすることができるから、意匠感を高めることができるだけでなく、装着も違和感のない襟部に構成することができる。
【００１２】
前記襟部が２枚の生地からなり、該２枚の生地の上端縁を互いに内側に折り込んで重なった部分を縫着し、前記２枚の生地の上下方向中間部に周方向ほぼ全域に渡って該２枚の生地を貫通して該両生地を一体化するためのステッチを入れることにより、前記折り目を構成することによって、２枚の生地を引き寄せて両生地が離間することなく一体化することができながらも、折り目も同時に構成することができる。
【発明を実施するための最良の形態】
【００１３】
図１〜図７に、釣り用上着Ｈに備えさせた襟部１を示している。この襟部１は、図５〜図７に示すように、着用者の首の周りに立つように構成され、前記襟部１の上下方向中間部に、該襟部１の周方向に沿う折り目２を備えて、その折り目２を境界線として上側部分１Ａを下側部分１Ｂに外側に折り込む（折り畳む）ことにより、図１〜図４に示すように、首の上側（一部）を外気に晒して温度調節を行うことができるようになっている。ここでは、前記折り目２を境界線として外側に折り込むことによって、折り込み易い利点があるが、折り込み難い内側に折り込むことによって、襟部１の内面（裏面）が外部に露出することがないように構成してもよい。前記折り目２を形成した襟部１の上下方向中間部は、襟部１の上端及び下端を除いた部分であれば、どの位置でもよい。尚、図５では襟部１の後側部分のほぼ半分の位置に折り目２を形成している。
【００１４】
前記釣り用上着Ｈの合わせ部には、スライドファスナー３を備えさせており、このスライドファスナー３を開閉操作することで身体に上着を着脱することができるようになっているが、他の開閉手段を用いた構成であってもよい。又、前記開閉手段を無くした構成、つまり頭から被って着るような上着であってもよい。尚、前記スライドファスナー３は、一対のテープ（基布）３Ａ，３Ａと、それらテープ３Ａ，３Ａに互いに対向するように取り付けられた多数の歯からなるエレメント（務歯部）と、前記一対のエレメントを噛み合わせる、又はその噛み合いを解除操作するためのスライダー（開閉部材）３Ｂと、このスライダー３Ｂに取り付けられた摘み部３Ｃとからなっている。
【００１５】
前記襟部１が、左右の前側のそれぞれから後側に連なる帯状体でなり、前記折り目２が、前記襟部１の下端から該襟部１の周方向ほぼ全域に渡ってほぼ同一高さ位置に位置し、該折り目２から該襟部１の上端までの長さを、該襟部１の前側よりも後側を長くしてある。このような構成であるから、図５及び図６に示すように、首の周りに襟部１が立てた状態では、首Ｋの後側のほぼ全体を覆うことにより、日焼けを確実に防止することができると同時に、保温効果も高めることができるようになっている。しかも、図１の２点鎖線及び図５に示すように、襟部１の前側上端が顎Ｇに接触することがなく、前側上端が邪魔になることがないように襟部１の前後における上下寸法を設定しているが、前記折り目２から該襟部１の上端までの長さを周方向どの位置においてもほぼ同一長さに構成して実施することもできる。
【００１６】
図８（ａ）に前記襟部１の展開図を示し、この襟部１の前側のそれぞれに、該前側から後側に向かって上昇する凹状の第１湾曲部４を備え、前記左右の第１湾曲部４，４から後側に向かって連なるとともに前記上昇が緩やかになる上昇に切り替わる凸状の第２湾曲部５を前記襟部１の後側に備えることにより、該襟部１の上端を緩やかなほぼＳ字カーブに構成しているが、前側から後側へ向かうほど傾きが緩やかになる複数の直線部から襟部１の上端を構成することもできる。
【００１７】
図８（ｂ）にも示すように、前記襟部１が２枚の生地６，７からなり、該２枚の生地６，７の上端縁を互いに内側に折り込んで重なった部分６ａ，７ｂを糸８により縫着し、前記２枚の生地６，７の上下方向中間部に周方向ほぼ全域に渡って該２枚の生地６，７を貫通して該両生地６，７を一体化するためのステッチを入れることにより、前記折り目２を構成している。具体的には、両生地６，７に、糸２Ａ，２Ｂを刺して縫い合わせることにより、上下２段にほぼ平行となるように２本のステッチを入れて折り目２を構成しているが、一本のステッチのみで折り目２を構成することもできる。寒い場合には、襟部１を首の周りに立てた状態にすることによって、保温性を高めることができながらも、暑くなってきた場合には、前記折り目２を介して襟部１の上側部分１Ａを下側部分１Ｂに外側に折り込むことにより、襟部１を一段落としたほぼ同一高さにして首Ｋのほぼ全周を外気に晒すことができるようにしている。ここでは、折り目２を上下方向一箇所にのみ設けたが、複数箇所設けて、折り畳んだときの襟部１の上端の高さを複数変えることができるように構成してもよい。
【００１８】
又、図８（ａ），（ｂ）に示すように、前記２枚の生地６，７の上側にも、両生地６，７が互いに離間する側に拡がることがないように、両生地６，７を一体化するためのステッチ、つまり糸９を刺して両生地６，７を縫い合わせている。そして、前記糸９の両端と前記糸２Ａ，２Ｂの両端とが同一位置に集中するようになっており、襟部１の折り目２のうちの両端となる左右の前側での折り目２における強度を高めることができるようにしている。前記糸９の上下方向での位置は自由に変更可能であるし、場合によっては省略することができる。
【００１９】
前記生地６，７のうちの、外側に位置する生地６は、防水性及び透湿性に優れた生地から構成されることが好ましく、例えばポリエステル生地やナイロン生地等から構成されているが、他の各種生地にて構成してもよい。又、前記内側に位置する生地７は、保温性の点から、起毛素材で構成することが好ましく、例えばポリエステル起毛素材等にて構成されているが、他の各種の素材から構成してもよい。又、２枚の生地６，７から襟部１を構成したが、３枚以上の生地を重ね合わせて構成してもよいし、又、一枚の生地を折り曲げて重ね合わせて構成してもよいし、一枚の生地の一方の面又は両面に、起毛させながら織り上げた素材であってもよい。
【図面の簡単な説明】
【００２０】
【図１】上着の襟部の上側部分を下側部分に折り畳んだ状態を示す正面図である。
【図２】上着の襟部の上側部分を下側部分に折り畳んだ状態を示す背面図である。
【図３】上着の襟部の上側部分を下側部分に折り畳んだ状態を示す側面図である。
【図４】上着の襟部の上側部分を下側部分に折り畳んだ状態を示す斜視図である。
【図５】上着の襟部を立てた状態を示す側面図である。
【図６】上着の襟部を立てた状態を示す背面図である。
【図７】上着の襟部を立てた状態を示す斜視図である。
【図８】（ａ）は上着の襟部を展開した図であり、（ｂ）は図８（ａ）におけるＡ−Ａ線断面図である。
【符号の説明】
【００２１】
１…襟部、１Ａ…上側部分、１Ｂ…下側部分、２Ａ，２Ｂ…糸、３…スライドファスナー、３Ａ…テープ、３Ｂ…スライダー、３Ｃ…摘み部、４…湾曲部、５…湾曲部、６，７…生地、６ａ，７ｂ…部分、８…糸、９…糸、Ｇ…顎、Ｈ…釣り用上着、Ｋ…首
【図１】
2009024306.tif 000003
【図２】
2009024306.tif 000004
【図３】
2009024306.tif 000005
【図４】
2009024306.tif 000006
【図５】
2009024306.tif 000007
【図６】
2009024306.tif 000008
【図７】
2009024306.tif 000009
【図８】
2009024306.tif 000010